(57)【要約】【課題】多孔質板における流体の透過特性評価を容易に実施できるようにする。【解決手段】多孔質板３を載置する載置平面５ａを有する載置台５と、載置台５の上方から多孔質板３を押さえつける押付部材７と、載置台５の載置平面５ａに対向するように押付部材７に固定された弾性変形可能な弾性シール材９とを備える流体透過特性評価装置１を提供する。弾性シール材９は、押付部材７により多孔質板３を押さえつけた状態で、多孔質板３の内部でその面方向に通過させる流体の流路を除いて、載置平面５ａに当接すると共に多孔質板３の外面３ａ，３ｃ，３ｄを気密に覆うように弾性変形するものとする。さらに、弾性シール材９の圧縮弾性率を前記多孔質板３よりも低く、かつ、弾性シール材９の厚さ寸法を前記多孔質板３の２倍以上とし、さらに、載置平面５ａに対する弾性シール材９の押し付け圧力を多孔質板３の内部に流入する流体の圧力の２倍以上とする。【選択図】図１
2008151648.tif 000002
【特許請求の範囲】
【請求項１】
三次元網目構造を有する多孔質板の内部でその面方向に流体を通過させ、前記多孔質板における前記流体の透過特性を評価する流体透過特性評価装置であって、
前記多孔質板を載置する載置平面を有する載置台と、該載置台の上方から前記多孔質板を押さえつける押付部材と、前記載置台の載置平面に対向するように前記押付部材の下部と前記多孔質板との間に静置された弾性変形可能な弾性シール材とを備え、
前記弾性シール材は、前記押付部材により前記載置平面に載置された前記多孔質板を押さえつけた状態で、前記多孔質板の内部に通過させる前記流体の流路を除いて、前記載置平面に当接すると共に前記多孔質板の外面を気密に覆うように弾性変形するものであり、
前記弾性シール材の圧縮弾性率が前記多孔質板の圧縮弾性率よりも低く、かつ、前記弾性シール材の厚さ寸法が前記多孔質板の厚さ寸法の２倍以上であり、さらに、前記載置平面に対する前記弾性シール材の押し付け圧力が前記多孔質板の内部に流入する前記流体の圧力の２倍以上であることを特徴とする流体透過特性評価装置。
【請求項２】
前記弾性シール材の圧縮永久歪みが１０％以下であることを特徴とする請求項１に記載の流体透過特性評価装置。
【請求項３】
前記弾性シール材が、その内部に閉気孔を含んだ多孔質状に形成されていることを特徴とする請求項１又は請求項２に記載の流体透過特性評価装置。
【請求項４】
前記弾性シール材の厚さを２５％圧縮するために要する圧縮応力が、１０ｋＰａ以上３５０ｋＰａ以下であることを特徴とする請求項１から請求項３のいずれか１項に記載の流体透過特性評価装置。
【発明の詳細な説明】
【技術分野】
【０００１】
この発明は、三次元網目構造を有する多孔質板の内部を通過する流体の透過特性を評価する流体透過特性評価装置に関するものである。
【背景技術】
【０００２】
三次元網目構造を有する多孔質板は、フィルタ、ガス拡散部材、放熱部材、給水部材等として種々の装置に組み込まれており、例えば特許文献１のように、多孔質板の内部でその面方向に空気や燃料ガス（流体）を流すように多孔質板を組み込んだ燃料電池がある。上述した用途の多孔質板を各種装置に組み込む場合には、予め多孔質板の面方向に通過する流体の透過特性（例えば流体の圧力損失や流体の濃度変化）を評価しておく必要がある。
多孔質板の面方向に通過する流体の透過特性を評価する方法としては、例えば特許文献１のように、多孔質板の主面に対して流体を強制的に流入・流出させる方法がある。なお、この評価方法を実施する際には、多孔質板の内部を通過させる流体の流路を除き、多孔質板の外面を密閉する必要がある。
【０００３】
この場合、一般には、一対の狭持部材により多孔質板をその厚さ方向から挟み込むと共に、多孔質板の側面が露出する一対の狭持部材の隙間に接着剤や樹脂材料等のシール材を埋め込むことで、多孔質板の外面の密閉を図ることが考えられる。また、シール材を使用する代わりに、多孔質板の周囲を囲繞するＯリングを多孔質板と共に一対の狭持部材で挟み込むことで、多孔質板の外面の密閉を図ることが考えられる。
【特許文献１】特開２００６−２１６４２６号公報
【特許文献２】特開２００４−３０３５５８号公報
【発明の開示】
【発明が解決しようとする課題】
【０００４】
しかしながら、Ｏリングを使用して多孔質板の密閉を図る場合には、多孔質板の厚さ寸法等の大きさに応じてＯリングを交換する必要がある。また、シール材を使用して多孔質板の密閉を図る場合には、透過特性の評価を１回行う毎にシール材の埋め込みを実施する必要があるため、透過特性の評価を行うためのセッティングが面倒になるという問題がある。
【０００５】
本発明は、以上の課題に鑑みてなされたものであって、多孔質板における流体の透過特性評価を容易に実施することができるようにすることを目的とする。
【課題を解決するための手段】
【０００６】
上記の目的を達するために、この発明は以下の手段を提供している。
【０００７】
本発明の流体透過特性評価装置は、三次元網目構造を有する多孔質板の内部でその面方向に流体を通過させ、前記多孔質板における前記流体の透過特性を評価する流体透過特性評価装置であって、前記多孔質板を載置する載置平面を有する載置台と、該載置台の上方から前記多孔質板を押さえつける押付部材と、前記載置台の載置平面に対向するように前記押付部材の下部と前記多孔質板との間に静置された弾性変形可能な弾性シール材とを備え、前記弾性シール材は、前記押付部材により前記載置平面に載置された前記多孔質板を押さえつけた状態で、前記多孔質板の内部に通過させる前記流体の流路を除いて、前記載置平面に当接すると共に前記多孔質板の外面を気密に覆うように弾性変形するものであり、前記弾性シール材の圧縮弾性率が前記多孔質板の圧縮弾性率よりも低く、かつ、前記弾性シール材の厚さ寸法が前記多孔質板の厚さ寸法の２倍以上であり、さらに、前記載置平面に対する前記弾性シール材の押し付け圧力が前記多孔質板の内部に流入する前記流体の圧力の２倍以上であることを特徴とする。
【０００８】
なお、弾性シール材は押付部材に固定されていることがより望ましい。
本発明によれば、押付部材により多孔質板を押さえつけるだけで、弾性シール材のうち多孔質板の上面に当接した部分を圧縮変形させて、弾性シール材のうち多孔質板の上面周囲に位置する部分を載置平面に当接させることができる。また、この際には、載置平面に当接した弾性シール材が圧縮変形し、これによって載置平面に対する弾性シール材の押し付け圧力を十分な大きさで得ることができる。これにより、多孔質板内部を通過する流体が載置平面と弾性シール材との間から漏れ出すことを防止することができる。
以上のことから、多孔質板の厚さ寸法等の大きさに関わらず、押付部材を多孔質板に押しつけるだけで、流路を除いた多孔質板の外面を密閉して、多孔質板における流体の透過特性の評価を容易に行うことが可能となる。
【０００９】
ここで、弾性シール材は、その圧縮永久歪みを１０％以下としてもよい。
この場合には、押付部材による押さえつけを解除した際に、弾性シール材が良好に弾性復帰するため、同一の弾性シール材を用いても、透過特性評価を多数回にわたって繰り返し実施することができ、透過特性の評価結果の再現性も良好に保つことができる。
【００１０】
また、弾性シール材は、その内部に閉気孔を含んだ多孔質状に形成されたものとしてもよい。
この場合には、弾性シール材を小さな荷重で多孔質板に押しつけても容易に弾性変形できるため、多孔質板の外面を確実に気密に覆うことができる。また、弾性シール材が閉気孔を含んで多孔質体をなすように構成されている場合には、多孔質板内部を通過する流体が弾性シール材を介して外部に漏れることを防ぐことができる。また、この場合には、流体が多孔質板から弾性シール材内部に侵入・透過することで多孔質板の外側に流体の流路が形成されることを防止し、この流路形成に基づいて透過特性の評価精度が損なわれてしまうことも回避できる。
【００１１】
なお、本発明の流体透過特性評価装置においては、弾性シール材の厚さを２５％圧縮するために要する圧縮応力（２５％圧縮応力）を、１０ｋＰａ以上３５０ｋＰａ以下とすることがより好ましい。
これは、弾性シール材の２５％圧縮応力が１０ｋＰａ未満となると、多孔質板内部に流入した流体の圧力によって弾性シール材が容易に圧縮変形して多孔質板の外面から押し上げられ、多孔質板の外面と弾性シール材との間に大きな隙間が生じるためである。また、弾性シール材の２５％圧縮応力が３５０ｋＰａよりも大きくなると、押付部材により載置平面に載置された多孔質板を押さえつけた状態において、多孔質板の外形形状に対する弾性シール材の追従性が不足して、多孔質板の外面と弾性シール材との間に大きな隙間が生じるためである。
【００１２】
このような大きな隙間があると、多孔質板内部に流入した流体が多孔質内部だけではなく隙間も通過するため、多孔質板における流体の透過特性を精度良く評価することが困難となる。
したがって、弾性シール材の２５％圧縮応力を１０ｋＰａ以上３５０ｋＰａ以下とすることで、流体の圧力による弾性シール材の浮き上がりを抑制すると共に多孔質板の外形形状に対する弾性シール材の追従性を向上させて、上述した隙間を小さく抑えることができ、多孔質板における流体の透過特性を精度良く評価することが可能となる。
【発明の効果】
【００１３】
本発明によれば、多孔質板の厚さ寸法等の大きさに関わらず、同一の弾性シール材を固定した押付部材により載置台に載置された多孔質板を押さえつけるだけで、流路を除いた多孔質板の外面を密閉することが可能となるため、多孔質板における流体の透過特性評価を容易に実施することができる。
【発明を実施するための最良の形態】
【００１４】
以下、本発明の実施形態に係る流体透過特性評価装置について説明する。
なお、以下に説明する各実施形態の流体透過特性評価装置は、三次元網目構造を有する多孔質板の内部で、その面方向に流体を通過させ、多孔質板における流体（気体、液体）の透過特性を評価するものである。
【００１５】
〔第１実施形態〕
はじめに、第１実施形態に係る流体透過特性評価装置について説明する。
図１に示すように、この実施形態に係る流体透過特性評価装置１は、平面視略矩形状の多孔質板３を載置する載置平面５ａを有する載置台５と、載置台５の上方から多孔質板３を押さえつけるための押付部材７と、上記載置平面５ａに対向するように押付部材７に固定された弾性変形可能な弾性シール材９とを備えている。
載置台５及び押付部材７は、多孔質板３をその厚さ方向（Ｚ軸方向）から挟み込む際に変形しない剛性の高い材料からなり、この実施形態においては平面視略矩形状に形成されている。また、載置台５及び押付部材７は、その長手方向（Ｘ軸方向）及び幅方向（Ｙ軸方向）の寸法が多孔質板３よりも大きくなるように形成されている。さらに、後述する弾性シール材９を固定する押付部材７の固定面７ａは平坦に形成されている。そして、押付部材７により多孔質板３を押さえつけた状態においては、固定面７ａと載置台５の載置平面５ａとが平行に保持されるようになっている。
【００１６】
弾性シール材９は、その内部に閉気孔を含んだ多孔質状に形成され、発泡樹脂や発泡ゴムによって構成されている。具体的な発泡樹脂や発泡ゴムとしては、例えばウレタンゴム（例えば、商品名：ポロン（ロジャースイノアック社製）、商品名：薄層クリーンフォームＳＣＦ（日東電工社製））、シリコーンゴム（例えば、商品名：ＮＰゲル（ジェルテック社製））、ポリオレフィン樹脂（例えば、イノアックエラストマー社製のＲＬシリーズ）、ポリエチレン樹脂、エチレンゴム（例えば、エチレンプロピレンゴム（ＥＰＤＭ））等が挙げられる。また、この弾性シール材９では、圧縮永久歪みが１０％以下に設定されており、また、圧縮弾性率が多孔質板３よりも低く設定されている。
そして、弾性シール材９は、平面視略矩形状に形成され、多孔質板３と略同等の長さ寸法を有している。また、弾性シール材９の幅寸法は、載置台５及び押付部材７と略同等に設定されており、載置平面５ａに配された多孔質板３の両側部から幅方向に突出するように形成されている。さらに、弾性シール材９の厚さ寸法は、多孔質板３の厚さ寸法の２倍以上に設定されている。
【００１７】
以上のように構成された流体透過特性評価装置１を用いて、多孔質板３における流体の透過特性を評価する場合には、多孔質板３及び弾性シール材９の長手方向の両端部が略一致するように、多孔質板３を載置台５の載置平面５ａの中央部分に配し、押付部材７により多孔質板３を押さえつける。
この押さえつけの際には、弾性シール材９の中央部分が多孔質板３の上面３ａに当接して圧縮変形されると共に、弾性シール材９のうち多孔質板３の両側部から幅方向に突出する部分が載置平面５ａに当接することになる。また、この際には、載置平面５ａに当接した弾性シール材９も圧縮変形する。なお、この圧縮変形によって載置平面５ａに対する弾性シール材９の押し付け圧力が発生する。
【００１８】
このように押付部材７により多孔質板３を押さえつけた状態においては、弾性シール材９の弾性変形によって多孔質板３の上面（外面）３ａ及び両側面（外面）３ｃ，３ｄが気密に覆われることになり、多孔質板３の長手方向に面する両端面３ｅ，３ｆのみが載置台５と押付部材７との隙間Ｓ１，Ｓ２を介して外方に露出することになる。これにより、多孔質板３の一端面３ｅから他端面３ｆに至るまで流体を多孔質板３の内部で多孔質板３の長手方向（面方向）に通過させる流路が形成されることになる。すなわち、押さえつけの状態においては、弾性シール材９が、多孔質板３の内部に通過させる流体の流路を除いて、載置平面５ａに当接すると共に多孔質板３の外面３ａ，３ｃ，３ｄを気密に覆っている。
以上のことから、この流体透過特性評価装置１において多孔質板３内部に流体を通過させる際には、多孔質板３の一端面３ｅから流体を流入し、他端面３ｆから流体を流出すればよい。
【００１９】
〔第２実施形態〕
次に、第２実施形態に係る流体透過特性評価装置について説明する。なお、この実施形態の流体透過特性評価装置は、上述した第１実施形態と主に載置台の構成及び弾性シール材の寸法についてのみ異なっている。ここでは、当該相違点についてのみ説明し、第１実施形態の流体透過特性評価装置１の構成要素と同一の部分については同一符号を付し、その説明を省略する。
【００２０】
図２に示すように、この実施形態に係る流体透過特性評価装置１１を構成する載置台１３には、その載置平面１３ａに開口する孔１５Ａ，１５Ｂが一対形成されている。ここで、一対の孔１５Ａ，１５Ｂは載置台１３の長手方向に間隔を介して開口しているが、この間隔は、載置平面１３ａに載置される多孔質板３によって一対の孔１５Ａ，１５Ｂが両方共覆われる程度となっている。なお、本実施形態においては、各孔１５Ａ，１５Ｂの開口部分が多孔質板３の長手方向の両端部に位置するように配置設定されている。
【００２１】
また、流体透過特性評価装置１１を構成する弾性シール材１７の長さ寸法及び幅寸法は、載置台１３及び押付部材７と略同等に設定されており、載置平面１３ａに配された多孔質板３の周囲から面方向（ＸＹ平面方向）に突出するように形成されている。なお、弾性シール材１７の厚さ寸法は、第１実施形態と同様に、多孔質板３の厚さ寸法の２倍以上に設定されている。
【００２２】
以上のように構成された流体透過特性評価装置１１を用いて、多孔質板３における流体の透過特性を評価する場合には、多孔質板３によって一対の孔１５Ａ，１５Ｂの開口が覆われるように多孔質板３を載置台１３の載置平面１３ａの中央部分に配し、押付部材７により多孔質板３を押さえつける。
この押さえつけの際には、第１実施形態と同様に、弾性シール材１７の中央部分が多孔質板３の上面３ａに当接して圧縮変形される。また、弾性シール材１７のうち多孔質板３の周囲から突出する部分が載置平面１３ａに当接して圧縮変形する。この圧縮変形によって載置平面１３ａに対する弾性シール材１７の押し付け圧力が発生する。
【００２３】
このように押付部材により多孔質板３を押さえつけた状態においては、弾性シール材１７の弾性変形によって多孔質板３の上面（外面）３ａ、両側面（外面）３ｃ，３ｄ及び両端面（外面）３ｅ，３ｆが気密に覆われることになり、多孔質板３は、その下面３ｂの長手方向の両端部に開口する一対の孔１５Ａ，１５Ｂを介してのみ外方に連通されることになる。これにより、一方の孔１５Ａから他方の孔１５Ｂに至るまで流体を多孔質板３の内部で多孔質板３の長手方向（面方向）に通過させる流路が形成されることになる。すなわち、押さえつけの状態においては、第１実施形態の場合と同様に、弾性シール材１７が、多孔質板３の内部に通過させる流体の流路を除いて、載置平面１３ａに当接すると共に多孔質板３の外面３ａ，３ｃ〜３ｆを気密に覆っている。
したがって、この流体透過特性評価装置１１において多孔質板３内部に流体を通過させる際には、一方の孔１５Ａを通じて多孔質板３の一端部側の下面３ｂから流体を流入し、他端部側の下面３ｂから他方の孔１５Ｂを通じて流体を流出すればよい。
【００２４】
なお、各実施形態の流体透過特性評価装置１，１１において透過特性を評価される多孔質板３としては、例えば多孔質ステンレス、発泡ステンレス、多孔質ニッケル等をシート状に形成したものの他に、例えば、ニッケル不織布、カーボン不織布等が挙げられる。
【００２５】
次に、各実施形態の流体透過特性評価装置１，１１において、弾性シール材９，１７による多孔質板３の密閉性能（以下、シール性能と呼ぶ。）を試験した結果について表１を参照して説明する。
この試験では、図１，２に示すように押付部材７により多孔質板３を押さえつけた状態で、アルゴンガス（流体）を１分間当たり１リットルの流量で多孔質板３の一端面３ｅや下面３ｂから多孔質板３内部に流入させ、吸引式リークディテクター（ＬＤ２２９（ＧＬサイエンス社製））を用いて載置平面５ａ，１３ａとこれに当接する弾性シール材９，１７との間からアルゴンガスが漏れているか否かを確認し、この確認結果を弾性シール材９，１７のシール性能の良否として評価した。
【００２６】
なお、この試験においては、多孔質板３の寸法を幅５０ｍｍ×長さ１００ｍｍ角とした。さらに、第１実施形態の流体透過特性評価装置１については、弾性シール材９の寸法を幅７５ｍｍ×長さ９８ｍｍ角とし、第２実施形態の流体透過特性評価装置１１については、弾性シール材１７の寸法を幅７５ｍｍ×長さ１２５ｍｍ角とした。また、第２実施形態の流体透過特性評価装置１１については、各孔の開口寸法を幅５０ｍｍ×長さ１ｍｍ角とした。そして、多孔質板３や弾性シール材９，１７の材質や厚さ寸法については、表１に示すように、適宜組み合わせたものを複数（実施例１〜１０、比較例１〜４）用意した。
【００２７】
【表１】
2008151648.tif 000003
【００２８】
すなわち、多孔質板３の材質には、シート状に形成した多孔質ステンレス、発泡ステンレス、多孔質ニッケル、ニッケル不織布、カーボン不織布を使用した。
また、弾性シール材９，１７の材質には、日東電工社製の薄層クリーンフォームＳＣＦ（品番：ＳＣＦ１００、Ｐ２００ＵＬ）、ロジャースイノアック社製のポロン（タイプ：Ｌ−２４、Ｈ−３２、Ｈ−４８、ＳＲ−Ｓ−２４Ｐ）、ジェルテック社製のＮＰゲル、θ−８ゲル（商品名）を使用した。上記材質の弾性シール材９，１７の圧縮弾性率は、いずれも多孔質板３の圧縮弾性率よりも低いものである。
そして、弾性シール材９，１７の厚さ寸法は、実施例１〜１０及び比較例１，３，４において多孔質板３の厚さ寸法の２倍以上となっており、比較例２においてのみ多孔質板３の厚さ寸法の１．５倍となっている。
【００２９】
なお、表１中に記載の「２５％圧縮応力」は、各実施例及び比較例で使用している各種材質の弾性シール材９，１７の厚さを２５％圧縮するために要する応力を示している。
また、表１中に記載の「側面」は、第１実施形態の流体透過特性評価装置１において試験したことを示しており、「全周」は、第２実施形態の流体透過特性評価装置１１において試験したことを示している。
さらに、表１中に記載の「シール圧」は、載置台５，１３の載置平面５ａ，１３ａに対する弾性シール材９，１７の押し付け圧力を示しており、「ガス圧」は、多孔質板３の内部に流入するアルゴンガスの圧力を示している。そして、このシール圧は、実施例１〜１０及び比較例２〜４においていずれもガス圧の２倍以上に設定されており、比較例１においてのみガス圧の２倍未満に設定されている。
【００３０】
そして、表１に記載の試験結果によれば、比較例１，２のものではアルゴンガスの漏れが確認され（シール性能「×」）、実施例１〜１０及び比較例３，４のものではアルゴンガスの漏れが確認されなかった（シール性能「○」「△」）。
比較例１のものでは、シール圧がガス圧の２倍未満となっていることで、載置平面１３ａに対する弾性シール材１７の押し付け圧力が不足するために、ガス漏れが発生していると考えられる。また、比較例２のものでは、シール圧がガス圧の２倍以上となっているが、弾性シール材１７の厚さ寸法が多孔質板３の２倍未満となっていることで、弾性シール材１７を十分に載置平面１３ａに押さえつけることができないために、ガス漏れが発生していると考えられる。このように、ガス漏れが発生している場合には、アルゴンガスの透過特性評価を実施することはできない。
【００３１】
これに対し、実施例１〜１０や比較例３，４のように、シール圧をガス圧の２倍以上とすると共に、弾性シール材９，１７の厚さ寸法を多孔質板３の２倍以上としているため、載置平面５ａ，１３ａに対する弾性シール材９，１７の押し付け圧力を十分に得ることができ、これによって、多孔質板３内部を通過するアルゴンガスが漏れ出すことを防止して、アルゴンガスの透過特性評価を実施することが可能となる。
【００３２】
ところで、比較例３のものでは、アルゴンガスを多孔質板３の内部に流入させたところ、弾性シール材９の一部と多孔質板３の外面３ａ，３ｃ，３ｄとの間に大きな隙間が生じる不具合が確認された。この隙間は、弾性シール材９の２５％圧縮応力が８ｋＰａと小さいために、弾性シール材９内部に流入したアルゴンガスの圧力によって弾性シール材９が多孔質板３の外面３ａ，３ｃ，３ｄから押し上げられることで発生すると考えられる。
また、比較例４のものでは、押付部材７により多孔質板３を押さえつけた状態において、側面３ｃ，３ｄと載置平面５ａとからなる凹部面と弾性シール材９との間に大きな隙間が生じていることが確認された。この隙間は、弾性シール材９の２５％圧縮応力が３６０ｋＰａと大きく、載置平面５ａに載置された多孔質板３の外形形状に対する弾性シール材９の追従性が不足することで発生すると考えられる。
【００３３】
このような隙間がある場合には、多孔質板３内部に流入されたアルゴンガスが多孔質板３内部だけではなく上記隙間も通過するため、多孔質板３におけるアルゴンガスの透過特性評価に影響を与える。したがって、多孔質板３におけるアルゴンガスの透過特性を精度良く評価するためには、このような隙間は小さい方が好ましく、具体的には、アルゴンガスが通過する隙間の断面積において、多孔質板３の外面３ａ，３ｃ，３ｄから弾性シール材までの隙間高さを５０μｍ以下に抑えることが好ましい。
しかしながら、比較例３，４のものでは、隙間高さが上述した値を超えてしまうため、アルゴンガスの透過特性を精度良く評価することが困難となる（シール性能「△」）。
【００３４】
これに対し、実施例１〜１０のものでは、弾性シール材９，１７の２５％圧縮応力が１０ｋＰａ以上３５０ｋＰａ以下の範囲内に含まれているため、アルゴンガスの圧力による弾性シール材９，１７の浮き上がりを抑制すると共に多孔質板３の外形形状に対する弾性シール材９，１７の追従性を向上させて、上述した隙間の大きさが小さく抑えられている。すなわち、上述した隙間高さが５０μｍ以下に抑えられている。
したがって、実施例１〜１０のものでは、多孔質板３における流体の透過特性を精度良く評価することが可能となる（シール性能「○」）。
【００３５】
以上説明したように、上記実施形態の流体透過特性評価装置１，１１によれば、多孔質板３の厚さ寸法等の大きさに関わらず、押付部材７により載置台５，１３に載置された多孔質板３を押さえつけるだけで、多孔質板３の外面３ａ，３ｃ〜３ｆを密閉することができるため、多孔質板３における流体の透過特性評価を容易に実施することができる。
【００３６】
また、弾性シール材９，１７の圧縮永久歪みを１０％以下とすることで、押付部材７による押さえつけを解除した際に、弾性シール材９，１７が良好に弾性復帰するため、同一の弾性シール材９，１７を用いても、透過特性評価を多数回にわたって繰り返し実施することができると共に、透過特性の評価結果の再現性も良好に保つことができる。
さらに、弾性シール材９，１７は、その内部に閉気孔を含んだ多孔質状に形成されているため、これを小さな荷重で多孔質板３に押しつけても容易に弾性変形でき、多孔質板３の外面３ａ，３ｃ〜３ｆを確実に気密に覆うことが可能となる。また、弾性シール材９，１７は閉気孔を含んで多孔質体をなすように構成されているため、多孔質板３内部を通過する流体が弾性シール材９，１７を介して外部に漏れることを防ぐことができる。さらに、この場合には、流体が多孔質板３から弾性シール材９，１７内部に侵入・透過することで多孔質板３の外側に流体の流路が形成されることを防止し、この流路形成に基づいて透過特性の評価精度が損なわれてしまうことも回避できる。
【００３７】
なお、本発明は上述した実施形態に限定されるものではなく、本発明の趣旨を逸脱しない範囲において種々の変更を加えることが可能である。
すなわち、第１実施形態における弾性シール材９の長さ寸法は、例えば多孔質板３の長さ寸法よりも長くしても構わない。この場合には、多孔質板３の長手方向の両端面３ｅ，３ｆに流体の流路を確保する中空のスペーサ等を別途設け、このスペーサにより弾性シール材９が多孔質板３の両端面３ｅ，３ｆを密閉することこと防止すればよい。
【００３８】
また、上述した全ての実施形態における弾性シール材９，１７としては、圧縮永久歪みを１０％以下としたものや、多孔質状に形成されたものに限らず、少なくとも圧縮弾性率が多孔質板３よりも低く、かつ、厚さ寸法が多孔質板３の２倍以上となるものを使用すればよい。
さらに、弾性シール材９，１７は、上記実施形態のように押付部材７の固定面７ａに固定されることが望ましいが、少なくとも載置台５，１３の載置平面５ａ，１３ａに対向するように押付部材７の下部と多孔質板３との間に静置されていればよい。すなわち、弾性シール材９，１７は、例えば押付部材７に固定せずに、押付部材７により多孔質板３を押さえつけた状態において押付部材７と載置台５，１３や多孔質板３との間に挟み込まれるように配置してもよい。
【図面の簡単な説明】
【００３９】
【図１】本発明の第１実施形態に係る流体透過特性評価装置を示しており、（ａ）は概略平面図、（ｂ）は（ａ）のＡ−Ａ矢視断面図、（ｃ）は（ａ）のＢ−Ｂ矢視断面図である。
【図２】本発明の第２実施形態に係る流体透過特性評価装置を示しており、（ａ）は概略平面図、（ｂ）は（ａ）のＣ−Ｃ矢視断面図、（ｃ）は（ａ）のＤ−Ｄ矢視断面図である。
【符号の説明】
【００４０】
１，１１  流体透過特性評価装置
３  多孔質板
３ａ  上面（外面）
３ｃ，３ｄ  側面（外面）
３ｅ，３ｆ  端面（外面）
５，１３  載置台
５ａ，１３ａ  載置平面
７  押付部材
９，１７  弾性シール材
【図１】
2008151648.tif 000004
【図２】
2008151648.tif 000005